(57)【要約】【課題】冷蔵庫等から冷媒を回収する作業の効率を向上させることができる冷媒回収作業台を提供する。【解決手段】ヒートサイクルを備えた機器２から冷媒を回収するために用いられる冷媒回収作業台１であって，前記機器２を支持する支持台３と，前記支持台３に支持した前記機器２を第１の回収位置と第２の回収位置とに移動させる駆動機構４とを備えることとした。前記第１の回収位置と第２の回収位置は，互いに反転した位置とした。【選択図】  図１
2004244160.tif 000002
【特許請求の範囲】
【請求項１】
ヒートサイクルを備えた機器から冷媒を回収するために用いられる冷媒回収作業台であって，
前記機器を支持する支持台と，前記支持台に支持した前記機器を第１の回収位置と第２の回収位置とに移動させる駆動機構とを備えることを特徴とする，冷媒回収作業台。
【請求項２】
前記第１の回収位置と第２の回収位置は，互いに反転した位置であることを特徴とする，請求項１に記載の冷媒回収作業台。
【発明の詳細な説明】
【０００１】
【発明の属する技術分野】
本発明は，例えば冷蔵庫等の廃棄物処理において，冷媒を回収するに際し冷蔵庫等を支持する冷媒回収作業台に関する。
【０００２】
【従来の技術】
冷蔵庫やエアコン等の機器は，冷媒を利用したヒートサイクル（冷凍サイクル）によって冷却運転等を行っている。従来，冷蔵庫等を廃棄物として破砕処理する場合，解体や破砕を行う前に廃棄物内の冷媒を回収して，大気中への冷媒の放出を防止するようにしている。（例えば，特許文献１，２参照）。例えば，冷蔵庫内から冷媒を回収する方法は，次のようなものである。先ず，冷媒回収装置の管を接続する部分に冷媒が効率的に集まるように，冷蔵庫を傾斜させて支持し，冷蔵庫内の冷媒を封入した冷媒配管等に冷媒回収装置の管を接続する。そして，冷媒回収装置の駆動により，冷媒を吸引して冷媒配管等の内部から強制的に抜き取り，冷媒回収装置に備えた容器内に回収している（例えば，特許文献３，４参照）。
【０００３】
【特許文献１】
特許第２７２５６４５号公報（第３頁，第１図）
【特許文献２】
特開２００２−１９１９９９号公報（第４頁）
【特許文献３】
特開２００２−２６５０２５号公報
【特許文献４】
特開平１１−３１６０６９号公報
【０００４】
【発明が解決しようとする課題】
しかしながら，従来，冷蔵庫等から冷媒を回収する作業は効率が悪い問題があった。即ち，冷媒を循環させる冷媒配管等は複雑に配置されるので，冷蔵庫等を静止させた状態では冷媒が冷媒配管等の途中で滞留したままとなり，冷媒を完全に抜き取ることができない虞があった。さらに，冷媒が迅速に移動せず，冷媒の回収に長時間を要する問題があった。
【０００５】
従って，本発明の目的は，冷蔵庫等から冷媒を回収する作業の効率を向上させることができる冷媒回収作業台を提供することにある。
【０００６】
【課題を解決するための手段】
上記課題を解決するために，本発明によれば，ヒートサイクルを備えた機器から冷媒を回収するために用いられる冷媒回収作業台であって，前記機器を支持する支持台と，前記支持台に支持した前記機器を第１の回収位置と第２の回収位置とに移動させる駆動機構とを備えることを特徴とする，冷媒回収作業台が提供される。ここで，「ヒートサイクルを備えた機器」とは，例えば冷蔵庫やエアコン等である。「冷媒」とは，例えばアンモニア等である。この冷媒回収作業台にあっては，冷蔵庫を移動させながら回収を行うことにより，冷媒が流れやすくなり，冷媒配管等の途中で冷媒が滞留することを防止できる。従って，冷媒配管が複雑であっても，冷媒を確実に回収することができる。さらに，冷蔵庫を第１の回収位置と第２の回収位置とに繰り返し交互に移動させると，第１の回収位置で抜き取りきれなかった冷媒を第２の回収位置で抜き取ることができ，その逆に，第２の回収位置で抜き取りきれなかった冷媒を第１の回収位置で抜き取ることができるので，より迅速に確実に冷媒を抜き取ることができる。従って，冷媒回収作業の効率を向上させることができる。本発明は，種々の設計の冷媒配管を有する機器の冷媒回収作業に適用することが可能である。例えば，冷蔵庫の冷媒回収作業にもエアコンの冷媒回収作業にも使用して，各々の冷媒回収作業を効率的に行うことができる冷媒回収作業台を提供することができる。本発明において，機器を支持台に固定する際は，支持台を例えば水平状態にするが，機器を固定する際の支持台の姿勢は，水平状態に限らず，各機器を固定しやすい姿勢や，冷媒回収作業台の周囲のスペース等をそれぞれ考慮して個別に決定することも可能である。例えば，支持台を水平状態から右方向に約９０°回転させた状態で機器を固定しても良い。
【０００７】
前記第１の回収位置と第２の回収位置は，互いに反転した位置であることが好ましい。この場合，冷蔵庫の姿勢を逆にすることができるので，内部に残留した冷媒が効果的に流れ，抜き取りやすくすることができる。
【０００８】
【発明の実施の形態】
以下，本発明の好ましい実施の形態を説明する。図１に示すように，本発明にかかる冷媒回収作業台１は，冷蔵庫２を支持する支持台３と，支持台３を移動させる駆動機構４とを備えている。支持台３と駆動機構４は，基台５に支持されている。
【０００９】
冷蔵庫２は，アンモニアを冷媒として利用した冷凍サイクルを内部に備えている。冷蔵庫２の前部（図１において下面となっている側）には，図示しない扉，扉の取っ手やヒンジ等が設けられている。また，冷蔵庫２の後部（図１において上面となっている側）には，冷媒が封入され冷媒を循環させる冷媒配管が備えられている。冷媒配管には，冷媒を抜き取る図示しない冷媒回収装置の管７が接続される。
【００１０】
支持台３には，冷蔵庫２を上方から押さえて固定する固定部材８が備えられている。支持台３の周囲には，冷蔵庫２の側面下部を包囲する囲繞部材９が設けられている。また，支持台３には，支持台３に載置された冷蔵庫２の取っ手やヒンジ等を回避するための切欠き１０が形成されている。
【００１１】
支持台３の両側には，駆動軸１１と支持軸１２がそれぞれ固着されている。駆動軸１１と支持軸１２は水平に設けられており，駆動軸１１の回転中心軸と支持軸１２の回転中心軸が同じ直線上に位置するように配置されている。また，駆動軸１１，支持軸１２は，基台５に固定され支持台３の両側に設けられた軸受け１４，１５に回転可能な状態でそれぞれ支持されている。従って，支持台３は，基台５に対して回転可能な構成となっている。
【００１２】
駆動機構４は，モータ１８と減速機１９とを備えている。駆動軸１１は，減速機１９に接続されている。モータ１８の回転駆動は，減速機１９を介して駆動軸１１に伝達される。そして，駆動軸１１の回転により支持台３が回転する。また，モータ１８は，回転方向を切り換えることができる。従って，駆動機構４の駆動により，支持台３に支持された冷蔵庫２を左右に回転させる構成となっている。
【００１３】
次に，以上のように構成された冷媒回収作業台１を用いた冷媒回収作業について説明する。先ず，支持台３の上面を水平にした状態で，冷蔵庫２を支持台３の上面に載置する。このとき，扉が設けられている冷蔵庫２の前部を下方に向け，冷媒配管が配設された冷蔵庫２の後部を上方に向けて載置する。さらに，冷蔵庫２の扉付近に設けられた取っ手やヒンジ等が切欠き１０の中に入るようにする。このようにすると，取っ手やヒンジ等が邪魔にならず，冷蔵庫２を安定させて載置することができる。こうして支持台３に載置した冷蔵庫２に，固定部材８を上方から押さえるように当接させ，冷蔵庫２を支持台３に固定する。これにより，冷蔵庫２の扉が開かなくなり，作業を行いやすくなる。そして，支持台３に固定した冷蔵庫２の冷媒配管に，図示しない冷媒回収装置の管７を接続し，冷媒回収装置を作動させ，冷媒の抜き取りを開始する。冷媒回収装置の吸引によって冷媒配管の内部から抜き取られた冷媒は，管７内を流れ，冷媒回収装置に備えた容器内に回収される。
【００１４】
図示しない冷媒回収装置による冷媒の抜き取りを継続しながら，駆動機構４を駆動させ，支持台３を先ず，例えば水平状態から左方向に約９０°回転させる。これにより，図１に示す支持台３に載置されて固定された際の初期位置Ｐ０から図２に示す第１の回収位置Ｐ１に，冷蔵庫２を移動させる。第１の回収位置Ｐ１において，冷蔵庫２は，初期位置Ｐ０での姿勢から左方向に約９０°回転した姿勢となる。
【００１５】
冷蔵庫２を第１の回収位置Ｐ１に移動させたら，図示しない冷媒回収装置による冷媒の抜き取りを継続しながら，所定時間，第１の回収位置Ｐ１で冷蔵庫２を静止させて支持する。こうして，所定時間，第１の回収位置Ｐ１に支持された冷蔵庫２から冷媒を抜き取り回収する。第１の回収位置Ｐ１で冷蔵庫２を静止させる所定時間は，例えば３０リットルの容積を有する冷蔵庫２の場合，約５秒程度でよい。
【００１６】
所定時間，第１の回収位置Ｐ１に支持された冷蔵庫２から冷媒を回収した後，次に，図示しない冷媒回収装置による冷媒の抜き取りを継続しながら，初期位置Ｐ０から第１の回収位置Ｐ１に冷蔵庫２を移動させた際と逆方向に駆動機構４を駆動させ，支持台３を右方向に回転させ，水平状態に対し左に約９０°傾斜した姿勢から右方向に約１８０°回転させる。これにより，図２に示す第１の回収位置Ｐ１から図３に示す第２の回収位置Ｐ２に，冷蔵庫２を移動させる。第２の回収位置Ｐ２において，冷蔵庫２は，第１の回収位置Ｐ１での姿勢から右方向に約１８０°回転した姿勢，即ち，初期位置Ｐ０での姿勢から右方向に約９０°回転した姿勢となる。つまり，第１の回収位置と第２の回収位置は，互いに反転した位置関係となっているので，第２の回収位置Ｐ２における冷蔵庫２の姿勢は，第１の回収位置Ｐ１における冷蔵庫２の姿勢に対して，上下が逆転する。こうして，冷蔵庫２内の冷媒配管の姿勢を上下逆転させると，内部に残留した冷媒が効果的に流れ，抜き取りやすくすることができる。
【００１７】
冷蔵庫２を第２の回収位置Ｐ２に移動させたら，図示しない冷媒回収装置による冷媒の抜き取りを継続しながら，所定時間，第２の回収位置Ｐ２で冷蔵庫２を静止させて支持する。こうして，所定時間，第２の回収位置Ｐ２に支持された冷蔵庫２から冷媒を抜き取り回収する。第２の回収位置Ｐ２で冷蔵庫２を静止させる所定時間は，例えば３０リットルの容積を有する冷蔵庫２の場合，約５秒程度でよい。このように，第１の回収位置Ｐ１で冷媒を抜き取った後で第２の回収位置Ｐ２に冷蔵庫２を移動させて冷媒を抜き取ると，冷媒配管内で冷媒が流れ，第１の回収位置Ｐ１で抜き取りきれなかった冷媒を第２の回収位置でＰ２抜き取りやすくすることができる。
【００１８】
所定時間，第２の回収位置Ｐ２に支持された冷蔵庫２から冷媒を回収した後，次に，図示しない冷媒回収装置による冷媒の抜き取りを継続しながら，駆動機構４を駆動させ，再び，支持台３を左方向に回転させ，水平状態に対し右に約９０°傾斜した姿勢から左方向に約１８０°回転させる。これにより，図２に示すように，第２の回収位置Ｐ２から再び第１の回収位置Ｐ１に，冷蔵庫２を移動させる。そして，所定時間，第１の回収位置Ｐ１に支持された冷蔵庫２から冷媒を抜き取り回収する。このときも，第１の回収位置Ｐ１で冷蔵庫２を静止させる所定時間は，例えば３０リットルの容積を有する冷蔵庫２の場合，約５秒程度でよい。このように，第２の回収位置Ｐ２で冷媒を抜き取った後で第１の回収位置Ｐ１に冷蔵庫２を移動させて冷媒を抜き取ると，冷媒配管内で冷媒が流れ，第２の回収位置Ｐ２で抜き取りきれなかった冷媒を第１の回収位置Ｐ１で抜き取りやすくすることができる。
【００１９】
以上のような，第１の回収位置Ｐ１から第２の回収位置Ｐ２，又は，第２の回収位置Ｐ２から第１の回収位置Ｐ１に冷蔵庫２を移動させる操作を，図示しない冷媒回収装置による冷媒の抜き取りを継続しながら繰り返し行う。第１の回収位置Ｐ１から第２の回収位置Ｐ２，又は，第２の回収位置Ｐ２から第１の回収位置Ｐ１に冷蔵庫２を移動させる操作は，例えば３０リットルの容積を有する冷蔵庫２の場合，約５〜１０回程度行うことが好ましい。
【００２０】
かかる冷媒回収作業台１によれば，冷蔵庫２を第１の回収位置Ｐ１から第２の回収位置Ｐ２，又は，第２の回収位置Ｐ２から第１の回収位置Ｐ１に冷蔵庫２を移動させることにより，冷媒配管内の冷媒が流れるようにすることができるので，冷媒を抜き取りやすい状態になる。従って，冷媒配管が複雑であっても，冷媒配管等の途中で冷媒が滞留せず，冷媒を迅速かつ確実に回収することができる。さらに，冷蔵庫２を第１の回収位置Ｐ１と第２の回収位置Ｐ２とに繰り返し交互に移動させることにより，冷媒配管内で冷媒が効果的に流れ，より迅速かつ確実に冷媒を抜き取ることができる。従って，冷媒回収作業の効率を向上させることができる。
【００２１】
以上，本発明の好適な実施の形態の一例を示したが，本発明はここで説明した形態に限定されない。例えば，機器は冷蔵庫２としたが，ヒートサイクルを備えたものであれば，エアコン等，他の機器であってもよい。
【００２２】
冷媒はアンモニアに限定されない。冷媒回収装置によって回収する流体は冷媒に限定されない。例えば，圧縮機を用いた圧縮冷凍サイクルを備えた機器から回収する場合は，冷媒と共に圧縮機内の潤滑油を回収することが好ましい。また，吸収剤を用いた吸収冷凍サイクルを備えた機器から回収する場合は，冷媒と共に吸収剤としての水等を回収しても良い。
【００２３】
冷媒回収装置の管７を接続する箇所は，冷媒配管の途中に限定されない。例えば，圧縮機を用いた冷凍サイクルを備えた機器から回収する場合は，圧縮機に予め設けられた封入パイプ，即ち，冷媒を冷凍サイクル内に封入する際に冷媒が導入される封入パイプに，管７を接続することが好ましい。また，圧縮機に穴を開け，この穴に管７を接続しても良い。
【００２４】
本実施の形態では，第１の回収位置Ｐ１，第２の回収位置Ｐ２における冷蔵庫２の姿勢は，それぞれ初期位置Ｐ０から左に約９０°回転させた状態，初期位置Ｐ０から右に約９０°回転させた状態とし，第１の回収位置Ｐ１，第２の回収位置Ｐ２における冷蔵庫２の姿勢が互いに上下反転することとしたが，かかる形態に限定されない。例えば，第１の回収位置Ｐ１，第２の回収位置Ｐ２における冷蔵庫２の姿勢は，それぞれ初期位置Ｐ０から約９０°より少ない角度で左に回転させた状態，初期位置Ｐ０からに約９０°より少ない角度で右に回転させた状態にしても良い。また，支持台３を水平な姿勢にして冷蔵庫２を載置及び固定することとしたが，例えば，支持台３を水平状態から傾斜させた状態で，冷蔵庫２を載置及び固定することも可能である。
【００２５】
本実施の形態では，最初に初期位置Ｐ０から左方向に回転させて冷蔵庫２を第１の回収位置Ｐ１に移動させ，その次に第２の回収位置Ｐ２に移動させることとしたが，最初に初期位置Ｐ０から右方向に回転させて冷蔵庫２を第２の回収位置Ｐ２に移動させ，その次に第１の回収位置Ｐ１に移動させるようにしても良い。
【００２６】
【発明の効果】
本発明によれば，冷媒回収装置により冷媒を回収しながら冷蔵庫を移動させることができるので，冷媒配管内で冷媒が流れるようにして，冷媒を迅速かつ確実に回収することができる。冷媒配管が複雑であっても，冷媒配管等の途中で冷媒が滞留せず，冷媒を確実に回収することができる。さらに，冷蔵庫を繰り返し移動させることにより，より迅速に確実に冷媒を回収することができる。
【図面の簡単な説明】
【図１】本実施の形態にかかる冷媒回収作業台の斜視図である。
【図２】冷蔵庫を第１の回収位置に移動させた状態を示す斜視図である。
【図３】冷蔵庫を第２の回収位置に移動させた状態を示す斜視図である。
【符号の説明】
Ｐ１    第１の回収位置
Ｐ２    第２の回収位置
１      冷媒回収作業台
２      冷蔵庫
３      支持台
４      駆動装置
【図１】
2004244160.tif 000003
【図２】
2004244160.tif 000004
【図３】
2004244160.tif 000005